(57)【特許請求の範囲】
【請求項１】
ＴＤＭ方式の光通信システムであって、
光タイムスロットを送受信する光送受信装置と、
光タイムスロットのスイッチングを行う光交換装置と、
ホストコンピュータ間の通信要求を受けた場合に、該通信に光タイムスロットを割り付ける管理サーバと、を有し、
前記光送受信装置は、スケジュールテーブルを備え、該スケジュールテーブルにしたがって、光タイムスロットを送受信し、
前記光交換装置は、スケジュールテーブルを備え、該スケジュールテーブルにしたがって、光タイムスロットのスイッチングを行い、
前記管理サーバは、
前記ホストコンピュータ間の通信に複数の光タイムスロットを割り付ける場合、該複数の光タイムスロットを連続して割り付け、
前記ホストコンピュータ間の通信に光タイムスロットを割り付けた場合、該割り付け結果に基づき、前記光送受信装置および前記光交換装置の前記スケジュールテーブルを更新し、
前記ホストコンピュータ間の通信に光タイムスロットを割り付ける際には、前記ホストコンピュータ間の通信経路に配置された前記光交換装置のいずれかを基準点とし、該基準点以外の前記光交換装置の前記スケジュールテーブルについては、前記基準点からの伝搬遅延量に基づき該スケジュールテーブルの先頭位置をシフトさせ、先頭位置から空いている光タイムスロットを割り付け、
前記ホストコンピュータ間の通信に複数の光タイムスロットが連続して割り付けられた場合、送信元のホストコンピュータに接続された前記光送受信装置は、該複数の光タイムスロットの先頭にのみガードタイムを付与し、該複数の光タイムスロットを送信する、光通信システム。
【請求項２】
前記管理サーバは、前記光タイムスロットのタイムスロット長を、前記ガードタイムのガードタイム長以下に設定する、請求項１に記載の光通信システム。
【請求項３】
前記管理サーバは、
前記タイムスロット長と前記ガードタイム長とを同じ長さに設定し、
前記ホストコンピュータ間の通信に光タイムスロットを割り付ける場合、該通信に要求される帯域を提供し得る光タイムスロットのタイムスロット数を計算し、計算したタイムスロット数分の光タイムスロットと、前記ガードタイム分の１個の光タイムスロットと、を該通信に割り付ける、請求項２に記載の光通信システム。
【請求項４】
ＴＤＭ方式の光通信システムに設けられる管理サーバであって、
ホストコンピュータ間の通信要求を受けた場合に、該通信に光タイムスロットを割り付けるタイムスロット割付部を有し、
前記タイムスロット割付部は、前記ホストコンピュータ間の通信に複数の光タイムスロットを割り付ける場合、該複数の光タイムスロットを連続して割り付け、
前記ホストコンピュータ間の通信に光タイムスロットを割り付けた場合、該割り付け結果に基づき、スケジュールテーブルにしたがって光タイムスロットを送受信する光送受信装置、および、スケジュールテーブルにしたがって光タイムスロットのスイッチングを行う光交換装置のスケジュールテーブルを更新し、
前記ホストコンピュータ間の通信に光タイムスロットを割り付ける際には、前記ホストコンピュータ間の通信経路に配置された前記光交換装置のいずれかを基準点とし、該基準点以外の前記光交換装置の前記スケジュールテーブルについては、前記基準点からの伝搬遅延量に基づき該スケジュールテーブルの先頭位置をシフトさせ、先頭位置から空いている光タイムスロットを割り付け、
前記ホストコンピュータ間の通信に複数の光タイムスロットを連続して割り付けた場合、該複数の光タイムスロットの先頭にのみ、送信元のホストコンピュータに接続された光送受信装置によってガードタイムが付与される、管理サーバ。
【請求項５】
前記タイムスロット割付部は、前記光タイムスロットのタイムスロット長を、前記ガードタイムのガードタイム長以下に設定する、請求項４に記載の管理サーバ。
【請求項６】
光タイムスロットを送受信する光送受信装置と、光タイムスロットのスイッチングを行う光交換装置と、ホストコンピュータ間の通信要求を受けた場合に、該通信に光タイムスロットを割り付ける管理サーバと、を有してなるＴＤＭ方式の光通信システムによる光通信方法であって、
前記光送受信装置が、スケジュールテーブルを備え、該スケジュールテーブルにしたがって、光タイムスロットを送受信し、
前記光交換装置が、スケジュールテーブルを備え、該スケジュールテーブルにしたがって、光タイムスロットのスイッチングを行い、
前記管理サーバが、前記ホストコンピュータ間の通信に複数の光タイムスロットを割り付ける場合、該複数の光タイムスロットを連続して割り付け、
前記ホストコンピュータ間の通信に光タイムスロットを割り付けた場合、該割り付け結果に基づき、前記光送受信装置および前記光交換装置の前記スケジュールテーブルを更新し、
前記ホストコンピュータ間の通信に光タイムスロットを割り付ける際には、前記ホストコンピュータ間の通信経路に配置された前記光交換装置のいずれかを基準点とし、該基準点以外の前記光交換装置の前記スケジュールテーブルについては、前記基準点からの伝搬遅延量に基づき該スケジュールテーブルの先頭位置をシフトさせ、先頭位置から空いている光タイムスロットを割り付け、
前記ホストコンピュータ間の通信に複数の光タイムスロットが連続して割り付けられた場合、送信元のホストコンピュータに接続された前記光送受信装置が、該複数の光タイムスロットの先頭にのみガードタイムを付与し、該複数の光タイムスロットを送信する、光通信方法。
【発明の詳細な説明】
【技術分野】
【０００１】
本発明は、ＴＤＭ（Time Division Multiplexing：時分割多重）方式の光通信システムに関する。
【背景技術】
【０００２】
光通信システムとして、ＴＤＭ方式の光通信システムがある（特許文献１，２参照）。
【０００３】
ＴＤＭ方式の光通信システムにおいては、光送受信装置は、データを光タイムスロットで送受信し、光交換装置は、光タイムスロットの方路切替（スイッチング）を行う。
【０００４】
また、光送受信装置および光交換装置の各ノードはタイマを備えており、各ノードのタイマは同期させる必要がある。
【０００５】
そのため、ＴＤＭ方式の光通信システムにおいては、スイッチング時間や同期誤差を吸収するために、光タイムスロットにガードタイム（無信号区間）を設けている。
【先行技術文献】
【特許文献】
【０００６】
【特許文献１】特開平０６−０６１９３７号公報
【特許文献２】特表平０９−５１２１５１号公報
【発明の概要】
【発明が解決しようとする課題】
【０００７】
上述したように、ＴＤＭ方式の光通信システムにおいては、光タイムスロットには、スイッチング時間や同期誤差を吸収するために、ガードタイムが設けられている。
【０００８】
しかしながら、例えば、光タイムスロット毎にガードタイムを設ける場合、ガードタイムの期間中はデータの転送ができないため、転送効率が低下してしまう。
【０００９】
このように、従来のＴＤＭ方式の光通信システムにおいては、ガードタイムの割合によっては、転送効率が低下してしまうという課題がある。
【００１０】
そこで、本発明の目的は、ＴＤＭ方式の光通信システムにおいて、データの転送効率の向上を図ることができる技術を提供することにある。
【課題を解決するための手段】
【００１１】
本発明の光通信システムは、
ＴＤＭ方式の光通信システムであって、
光タイムスロットを送受信する光送受信装置と、
光タイムスロットのスイッチングを行う光交換装置と、
ホストコンピュータ間の通信要求を受けた場合に、該通信に光タイムスロットを割り付ける管理サーバと、を有し、
前記管理サーバは、前記ホストコンピュータ間の通信に複数の光タイムスロットを割り付ける場合、該複数の光タイムスロットを連続して割り付け、
前記ホストコンピュータ間の通信に複数の光タイムスロットが連続して割り付けられた場合、送信元のホストコンピュータに接続された前記光送受信装置は、該複数の光タイムスロットの先頭にのみガードタイムを付与し、該複数の光タイムスロットを送信する。
【００１２】
本発明の管理サーバは、
ＴＤＭ方式の光通信システムに設けられる管理サーバであって、
ホストコンピュータ間の通信要求を受けた場合に、該通信に光タイムスロットを割り付けるタイムスロット割付部を有し、
前記タイムスロット割付部は、前記ホストコンピュータ間の通信に複数の光タイムスロットを割り付ける場合、該複数の光タイムスロットを連続して割り付け、
前記ホストコンピュータ間の通信に複数の光タイムスロットを連続して割り付けた場合、該複数の光タイムスロットの先頭にのみ、送信元のホストコンピュータに接続された光送受信装置によってガードタイムが付与される。
【００１３】
本発明の光送受信装置は、
ＴＤＭ方式の光通信システムに設けられる光送受信装置であって、
送信元のホストコンピュータに前記光送受信装置が接続され、該送信元のホストコンピュータによる通信に複数の光タイムスロットが連続して割り付けられた場合、該複数の光タイムスロットの先頭にのみガードタイムを付与し、該複数の光タイムスロットを送信する送受信部を有する。
【００１４】
本発明の光通信方法は、
光タイムスロットを送受信する光送受信装置と、光タイムスロットのスイッチングを行う光交換装置と、ホストコンピュータ間の通信要求を受けた場合に、該通信に光タイムスロットを割り付ける管理サーバと、を有してなるＴＤＭ方式の光通信システムによる光通信方法であって、
前記管理サーバが、前記ホストコンピュータ間の通信に複数の光タイムスロットを割り付ける場合、該複数の光タイムスロットを連続して割り付け、
前記ホストコンピュータ間の通信に複数の光タイムスロットが連続して割り付けられた場合、送信元のホストコンピュータに接続された前記光送受信装置が、該複数の光タイムスロットの先頭にのみガードタイムを付与し、該複数の光タイムスロットを送信する。
【発明の効果】
【００１５】
本発明によれば、管理サーバは、ホストコンピュータ間の通信に複数の光タイムスロットを割り付ける場合、複数の光タイムスロットを連続して割り付け、光送受信装置は、複数の光タイムスロットが連続して割り付けられた場合、複数の光タイムスロットの先頭にのみガードタイムを付与し、複数の光タイムスロットを送信する。
【００１６】
これにより、ガードタイムの比率が下がるため、データの転送効率の向上を図ることができるという効果が得られる。
【図面の簡単な説明】
【００１７】
【図１】本発明の一実施形態の光通信システムの構成を示す図である。
【図２】図１に示した光送受信装置の構成を示すブロック図である。
【図３】図１に示した光交換装置の構成を示すブロック図である。
【図４】図１に示した管理サーバの構成を示すブロック図である。
【図５】本発明におけるガードタイムの付与位置を説明する図である。
【図６】本発明におけるタイムスロット長とガードタイム長との関係を説明する図である。
【図７】本発明における伝搬遅延を考慮したタイムスロット割付方法を説明する図である。
【図８Ａ】図７に示したスケジュールテーブルをシフトさせる際の、基準点となる光交換装置の選択方法の例を説明する図である。
【図８Ｂ】図７に示したスケジュールテーブルをシフトさせる際の、基準点となる光交換装置の選択方法の例を説明する図である。
【図９】図７に示したスケジュールテーブルのシフトによる効果を説明する図である。
【発明を実施するための形態】
【００１８】
以下に、本発明を実施するための形態について図面を参照して説明する。
【００１９】
図１に示すように、本実施形態の光通信システムは、光送受信装置１０−１，１０−２（以下、どの光送受信装置であるか区別しないときは、光送受信装置１０と称す）と、光交換装置２０−１〜２０−３（以下、どの光交換装置であるか区別しないときは、光交換装置２０と称す）と、管理サーバ３０と、を有するＴＤＭ方式の光通信システムである。
【００２０】
なお、図１において、光送受信装置１０および光交換装置２０の各ノードは、ファイバからなるリンクを介して互いに接続されている。また、管理サーバ３０と各ノードとは互いに接続されているが、その接続線は省略されている。また、光送受信装置１０には、ホストコンピュータが接続されているが、ホストコンピュータは省略されている。また、各ノードの数や配置は一例であり、本発明はこれに限定されない。
【００２１】
図２を参照すると、光送受信装置１０は、タイマ１１と、スケジュールテーブル１２と、バッファ１３と、送受信部１４と、を有している。
【００２２】
タイマ１１は、光通信システムを構成する各ノードと同期をとるためのものである。
【００２３】
スケジュールテーブル１２は、自己の光送受信装置１０が光タイムスロットを送受信するスケジュールが記述されたテーブルである。
【００２４】
バッファ１３は、自己の光送受信装置１０が光タイムスロットで送信する送信データを格納する。なお、送信データは、ホストコンピュータにより入力される。また、自己の光送受信装置１０が光タイムスロットで受信する受信データは、バッファ１３に一旦格納してからホストコンピュータに出力しても良いし、バッファ１３に格納せずにホストコンピュータに出力しても良い。
【００２５】
送受信部１４は、スケジュールテーブル１２にしたがって、バッファ１３に格納された送信データを光タイムスロットで送信すると共に、光交換装置２０からデータを光タイムスロットで受信し、その受信データをバッファ１３に格納する。なお、送受信部１４は、光タイムスロットへのガードタイムの付与も行うものとする。
【００２６】
図３を参照すると、光交換装置２０は、タイマ２１と、スケジュールテーブル２２と、転送部２３と、を有している。
【００２７】
タイマ２１は、光通信システムを構成する各ノードと同期をとるためのものである。
【００２８】
スケジュールテーブル２２は、自己の光交換装置２０が光タイムスロットの方路切替（スイッチング）を行うスケジュールが記述されたテーブルである。
【００２９】
転送部２３は、スケジュールテーブル２２にしたがって、光タイムスロットの方路切替（スイッチング）を行い、切替後の方路に向けて光タイムスロットを転送する。
【００３０】
図４を参照すると、管理サーバ３０は、タイマ３１と、タイムスロット割付部３２と、を有している。
【００３１】
タイマ３１は、光通信システムを構成する各ノードと同期をとるためのものである。
【００３２】
タイムスロット割付部３２は、光送受信装置１０および光交換装置２０の各ノードのスケジュールテーブル１２，２２を一括して管理する。
【００３３】
具体的には、タイムスロット割付部３２は、ホストコンピュータ間の通信要求を受けると、その通信に光タイムスロットを割り付け、その割り付け結果にしたがって、各ノードのスケジュールテーブル１２，２２を更新し、各ノードに配信する。
【００３４】
なお、タイムスロット割付部３２による光タイムスロットの割り付けは、通信要求を受けるたびに行っても良いし、一定数の通信要求を受けた段階で行っても良いし、一定期間に受けた通信要求に対して行っても良い。
【００３５】
以下、本実施形態の光通信システムの特徴的な動作である、光タイムスロットの割付動作について説明する。
（１）ガードタイムの付与位置
まず、本発明におけるガードタイムの付与位置について、図５を参照して説明する。
【００３６】
なお、図５において、光送受信装置１０−１にはホストコンピュータＳが接続され、光送受信装置１０−２にはホストコンピュータＡ，Ｂ，Ｃが接続されており、データの送信元であるホストコンピュータＳが、ホストコンピュータＡ，Ｂ，Ｃの各々との間の通信（それぞれ通信Ａ，Ｂ，Ｃとする）をするための通信要求をしたとする。また、光タイムスロットのタイムスロット長がＴｓで、ガードタイムのガードタイム長がＴｇであるとする（以下、同じ）。
【００３７】
この場合、管理サーバ３０のタイムスロット割付部３２は、まず、各通信Ａ，Ｂ，Ｃに必要なタイムスロット数を計算する。ここでは、通信Ａには１、通信Ｂには２、通信Ｃには３のタイムスロット数がそれぞれ必要であったとする。
【００３８】
ここで、比較例のように、光タイムスロット毎に、離散的にガードタイムを設ける場合、データの転送効率ｅ１＝（Ｔｓ−Ｔｇ）／Ｔｓとなり、転送効率が低くなる。
【００３９】
そこで、本発明においては、タイムスロット割付部３２は、ある通信に複数の光タイムスロットを割り付ける場合、複数の光タイムスロットを連続して割り付ける。例えば、通信Ｂには２個の光タイムスロットを連続して割り付け、通信Ｃには３個の光タイムスロットを連続して割り付ける。そして、その割り付け結果を基に、光送受信装置１０−１，１０−２および光交換装置２０−１のスケジュールテーブル１２，２２を更新する。
【００４０】
これを受けて、光送受信装置１０の送受信部１４は、更新されたスケジュールテーブル１２にしたがって、光タイムスロットを送信する。このとき、送受信部１４は、複数の光タイムスロットが連続している場合、その先頭にのみガードタイムを設ける。例えば、通信Ｂの場合、２個の光タイムスロットが連続するため、その先頭にのみガードタイムを設ける。また、通信Ｃの場合、３個の光タイムスロットが連続するため、その先頭にのみガードタイムを設ける。
【００４１】
本発明の場合、ガードタイムの比率が下がるため、データの転送効率ｅ２＝（６Ｔｓ−３Ｔｇ）／６Ｔｓとなり、比較例と比較して、転送効率の向上を図ることができる。
（２）タイムスロット長とガードタイム長との関係
続いて、本発明におけるタイムスロット長Ｔｓとガードタイム長Ｔｇとの関係について、図６を参照して説明する。
【００４２】
なお、図６において、あるホストコンピュータとホストコンピュータＡ，Ｂとの間の通信を、それぞれ通信Ａ，Ｂとする。
【００４３】
本発明においては、（１）で述べたように、複数の光タイムスロットが連続する場合、その先頭にのみガードタイムを設けることで、転送効率の向上を図ることができる。
【００４４】
ところで、管理サーバ３０のタイムスロット割付部３２は、ホストコンピュータ間の通信要求を受けた場合、その通信に必要なタイムスロット数を計算するに際して、まず、その通信に要求される要求帯域を提供し得るように、タイムスロット数を計算する。
【００４５】
そのため、比較例のように、Ｔｓ＞Ｔｇに設定する場合（図６では、Ｔｓ＝４Ｔｇ）、例えば、通信Ａには要求帯域を提供すべく１つの光タイムスロットを割り付けるが、要求帯域に比してタイムスロット長Ｔｓが大きいため、通信Ａには不要帯域も多く割り当てられることになり、この不要帯域によって、転送効率が低くなる。
【００４６】
そこで、本発明においては、タイムスロット割付部３２は、Ｔｓを、Ｔｓ≦Ｔｇとなる任意の長さに設定する。
【００４７】
タイムスロット割付部３２は、Ｔｓ＝Ｔｇに設定する場合、各通信に対しては、その通信に必要な要求帯域を提供し得るタイムスロット数を計算し、計算したタイムスロット数分の光タイムスロットと、ガードタイム分の１個の光タイムスロットと、を割り付ければ良い。例えば、通信Ａの場合、要求帯域を提供し得るタイムスロット数は１個であるため、これにガードタイム分の１個の光タイムスロットを加えた２個の光タイムスロットを割り付ける。また、通信Ｂの場合、要求帯域を提供し得るタイムスロット数は２個であるため、これにガードタイム分の１個の光タイムスロットを加えた３個の光タイムスロットを割り付ける。これにより、比較例と比較して、不要帯域が減るため、転送効率の向上を図ることができる。また、上記のように割付計算を行うため、比較例と比較して、割付計算の簡易化を図ることができる。
【００４８】
また、タイムスロット割付部３２は、Ｔｓ＜Ｔｇと設定する場合（図６では、３Ｔｓ＝Ｔｇ）、より柔軟な光タイムスロットの割り付けが可能となる。例えば、通信Ａの場合、要求帯域を提供し得るタイムスロット数は６個であるため、これにガードタイム分の３個の光タイムスロットを加えた９個の光タイムスロットを割り付ける。また、通信Ｂの場合、要求帯域を提供し得るタイムスロット数は８個であるため、これにガードタイム分の３個のタイムスロットを加えた１１個の光タイムスロットを割り付ける。Ｔｓ＜Ｔｇと設定する場合、Ｔｓ＝Ｔｇと設定する場合と比較して、不要帯域がさらに減るため、転送効率のさらなる向上を図ることができる。
（３）ファイバ伝搬遅延を考慮した光タイムスロットの割り付け
続いて、管理サーバ３０における、本発明におけるファイバ伝搬遅延を考慮した光タイムスロットの割り付けについて、図７を参照して説明する。なお、図７において、フレームサイクルは、次にスケジュールテーブルを更新するまで、フレームサイクルを１単位にして処理を繰り返すことを意味している（以下の図９において同じ）。
【００４９】
なお、図７において、通信要求のあったホストコンピュータ間の通信経路には、光交換装置２０−１，２０−２，２０−３，２０−４，２０−５（それぞれ１，２，３，４，５として示す）が配置され、この順に光タイムスロットが転送されていくものとする。また、スケジュールテーブルは、光交換装置２０間のリンクのスケジュールテーブルを表し、Ｌｉｎｋ  ＮのＮはリンクＩＤを表し、Ｄ  ＮはリンクＩＤがＮのリンクの伝搬遅延量を表している。また、リンクのスケジュールテーブルは、そのリンクの上流側の光交換装置２０にスケジュールテーブル２２として備えられている。例えば、リンク１のスケジュールテーブルは、管理サーバ３０が管理し、光交換装置２０−１に配信する。
【００５０】
図７（ａ）および（ｂ）は、比較例として、ファイバ伝搬遅延を考慮しない光タイムスロットの探索の一例を表している。ここでは、各リンクのスケジュールテーブルの先頭には、同一のフレーム位相にかかる光タイムスロットの割り付け情報が割り当てられており、そして、光タイムスロットの割り付けの際には、スケジュールテーブルの先頭から、空いているスロットを探索し、割り付ける。同図（ａ）では、その結果として、光交換装置２０−１から２０−３への通信には、２個の光タイムスロットが割り付けられ、光交換装置２０−３から２０−４への通信には、３個の光タイムスロットが割り付けられ、光交換装置２０−４から２０−５への通信には、２個の光タイムスロットが割り付けられている。
【００５１】
しかし、実際のリンクには、ファイバの伝搬遅延が生じており、光タイムスロットの割り付けを行う場合は、ファイバの伝搬遅延を考慮する必要があるが、図７（ａ）は、ファイバの伝搬遅延は何ら考慮されていない。
【００５２】
それを示したのが図７（ｂ）である。ここでは、先頭の光交換装置２０−２から順次、ファイバの伝搬遅延を考慮して、スケジュールテーブルをシフトして表現している。光タイムスロットが未割り付けの領域としては、連続して２個の光タイムスロット分しか確保することができない。
【００５３】
そこで、本発明においては、管理サーバ３０のタイムスロット割付部３２は、光交換装置２０−１，２０−２，２０−３，２０−４，２０−５のいずれかを基準点とし、基準点以外の光交換装置２０のスケジュールテーブルについては、基準点からの伝搬遅延量に基づいて、スケジュールテーブルの先頭位置をシフトさせる。そして、先頭から空いているタイムスロットを探索して割り付ける。
【００５４】
その例を示したのが、図７（ｃ）であり、ここでは、光交換装置２０−１を基準点としている。なお、リンク１，２のスケジュールテーブルは比較例と同様にシフトすれば良いため説明を省略し、以下では、リンク３，４のスケジュールテーブルについて説明する。
【００５５】
例えば、リンク３は、３個の光タイムスロットを割り付ける必要があり、基準点である光交換装置２０−１からの伝搬遅延量は５である。そのため、タイムスロット割付部３２は、リンク３には、伝搬遅延量を考慮して、スケジュールテーブルの先頭位置をＳ６までシフトさせ、先頭から空いている光タイムスロットＳ６〜Ｓ８を割り付ける。
【００５６】
また、リンク４は、２個の光タイムスロットを割り付ける必要があり、基準点である光交換装置２０−１からの伝搬遅延量は７である。そのため、タイムスロット割付部３２は、リンク４には、伝搬遅延量を考慮して、スケジュールテーブルの先頭位置をＳ８までシフトさせ、先頭から空いている光タイムスロットＳ８，Ｓ９を割り付け。
【００５７】
これにより、比較例と比較して、光タイムスロットが未割り付けの領域として、連続して６個の光タイムスロット分の大きな領域を確保することができる。
【００５８】
なお、基準点とする光交換装置２０は、例えば、図８Ａの例では、トラヒックが最も集中する光交換装置２０−１を選択しても良いし、また、図８Ｂの例では、ノード次数が最も高い光交換装置２０−１を選択しても良い。なお、図８Ａおよび図８Ｂにおいては、光交換装置２０の配下の光送受信装置１０やホストコンピュータは省略している。
【００５９】
ここで、光タイムスロットが未割り付けの領域として、大きな領域を確保することができることの効果について、図９を参照して説明する。
【００６０】
なお、図９において、通信要求のあったホストコンピュータ間の通信経路には、光交換装置２０−１，２０−２，２０−３，２０−４（それぞれ１，２，３，４として示す）が配置され、この順に光タイムスロットが転送されていくものとする。
【００６１】
比較例のように、基準点を設けずに、ファイバの伝搬遅延を考慮して、スケジュールテーブルをシフトさせた場合、光交換装置２０−１，２０−４間の通信に光タイムスロット分を割り付ける余地がない。
【００６２】
これに対して、本発明のように、光交換装置２０−１を基準点とし、基準点からの伝搬遅延量に基づいて、スケジュールテーブルの先頭位置をシフトさせる場合、光交換装置２０−３，２０−４間のリンクのスケジュールテーブルについては、図９のように、先頭位置をシフトさせる。すなわち、本発明は、光タイムスロットの探索を開始する際のフレーム位相がシフトすることになる。これにより、光交換装置２０−１，２０−４間の通信にも光タイムスロットを割り付けることが可能になる。
【符号の説明】
【００６３】
１０    光送受信装置
１１    タイマ
１２    スケジュールテーブル
１３    バッファ
１４    送受信部
２０    光交換装置
２１    タイマ
２２    スケジュールテーブル
２３    転送部
３０    管理サーバ
３１    タイマ
３２    タイムスロット割付部
【図２】
0005725513.tif 000002
【図３】
0005725513.tif 000003
【図４】
0005725513.tif 000004
【図６】
0005725513.tif 000005
【図７】
0005725513.tif 000006
【図９】
0005725513.tif 000007
【図１】
0005725513.tif 000008
【図５】
0005725513.tif 000009
【図８Ａ】
0005725513.tif 000010
【図８Ｂ】
0005725513.tif 000011